(57)【要約】【課題】隣接して接続された中間の断熱パネルを比較的容易に外すことができ、然も、目地部分の断熱性を大幅に向上することができる断熱パネルの接続構造を提供する。【解決手段】断熱パネル１２の接続構造は、一対の表面材１４と両側の第１及び第２の枠材２０、３０とで囲まれる空間１６に断熱材１８が充填された断熱パネル１２を構成する。第１及び第２の枠材２０、３０は、階段形状を呈している。第１の枠材２０は、隣接する断熱パネル１２の第２の枠材３０と相互に合決にて接続される。枠材２０、３０は断熱パネル１２の長手方向に対して傾斜した傾斜辺２６Ｂを有する。【選択図】図２
2008082649.tif 000002
【特許請求の範囲】
【請求項１】
一対の表面材と該表面材の端部に設けられた第１及び第２の枠材とで囲まれる空間に断熱材が充填されて成る断熱パネルにおいて、
前記第１及び第２の枠材は、前記断熱パネルの長手方向に対して傾斜する辺を有した階段形状を呈し、前記第１の枠材は、隣接する断熱パネルの前記第２の枠材と相互に合決にて接続されることを特徴とする断熱パネルの接続構造。
【請求項２】
前記両枠材の階段形状は、段差寸法よりも前記断熱パネルの長手方向の寸法が大きいことを特徴とする請求項１に記載の断熱パネルの接続構造。
【請求項３】
一対の表面材と該表面材の端部に設けられた第１及び第２の枠材とで囲まれる空間に断熱材が充填されて成る断熱パネルにおいて、
前記第１及び第２の枠材は、段差寸法よりも前記断熱パネルの長手方向の寸法が大きい階段形状を呈し、前記第１の枠材は、隣接する断熱パネルの前記第２の枠材と相互に合決にて接続されることを特徴とする断熱パネルの接続構造。
【請求項４】
前記第１及び第２の枠材は同一形状を呈することを特徴とする請求項１乃至請求項３の何れかに記載の断熱パネルの接続構造。
【発明の詳細な説明】
【技術分野】
【０００１】
本発明は、プレハブ冷蔵庫、低温貯蔵庫、保冷庫、温蔵庫、収納庫或いは冷蔵／冷凍車等に用いられる断熱パネルの接続構造に関するものである。
【背景技術】
【０００２】
従来プレハブ冷蔵庫、低温貯蔵庫、保冷庫或いは収納庫等に用いられる断熱パネルは、一対の表面材と該表面材端部の第１及び第２の枠材とで囲まれる空間に断熱材が充填されて構成されている。該断熱パネルの一般的な接続構造は、断熱パネルの一方の端部を凹陥させ、他方の端部を突部とし、隣接する一方の断熱パネルの凹部に他方の断熱パネルの凸部を挿入して接続していた。しかし、断熱パネルの目地部（接続部）には、コーキング剤でコーキングを行うための隙間を設ける必要があり、この接続部分（目地部分）はコーキングを行ってもその内側の断熱材が薄くなるのでどうしても断熱性能が低下してしまう。
【０００３】
また、コーキングの代わりに弾性を有する硬質樹脂からなるパッキンを使用するノンシール（コーキングレス）の場合は、例えば断熱パネルの一方の側縁部に回動可能な鈎部材と、他方の側縁部に鈎部材が引っ掛かる受け部材とからなるロータリーロックを設け、このロータリーロックにより断熱パネルと断熱パネルとを強固に接続するものもある。しかしながら、このロータリーロックの取り付け位置は、断熱パネルの製作時に決定しなければならず、後からの追加は困難であった。このため、特注サイズの断熱パネルやプレハブ冷蔵庫、低温貯蔵庫、保冷庫或いは収納庫等の増改築を行う場合、ロータリーロックの位置を全て設計する必要があり、膨大な設計工数を要するためコストが高騰する問題があった。
【０００４】
そこで、接続部の断熱性を向上すると共にロータリーロックを必要としない廉価な断熱パネルが提案されている。該断熱パネル（壁パネル）は、一方の側縁部に設けられた凸実部と、断熱パネルの他方の側縁部に設けられた凹実部との目地部に第１パッキンを介装し、第１パッキンよりも外面側に設けられた凸実部と凹実部との目地部に第２パッキンを介装している。これにより、シール性や断熱性を向上して、目地部分から洗浄水や、結露水などが廻り込んでしまうのを阻止していた（特許文献１参照）。
【特許文献１】特開平５−３１１８４５号公報
【発明の開示】
【発明が解決しようとする課題】
【０００５】
しかしながら、前者の断熱パネル、及び、後者の断熱パネルの双方とも断熱パネルの接続部は、一方の側縁部から他方の側縁部方向に凹陥、或いは、突出形成されていた。このように形成され、連結された断熱パネルを外す際は、一側縁部から他側縁部の方向にしか移動できない。このため、プレハブ冷蔵庫、低温貯蔵庫、保冷庫或いは収納庫等のレイアウト変更（増改築）などを行う場合に、連結された断熱パネルを容易に外すことができないという問題があった。
【０００６】
また、コーキング剤の代わりに真空断熱材を目地部分に埋め込み、断熱効果を向上させた断熱パネルの接続構造も提案されているが、従来公報のような形状の場合、真空断熱材を端部まで入れにくく、両表面側でクリアランスを作らなければならないので断熱性能が低下してしまい、コールドブリッジやヒートブリッジが発生してしまうという問題があった。そこで、目地部分の断熱性が高い断熱パネルの接続構造が望まれていた。
【０００７】
本発明は、係る従来技術の課題を解決するために成されたものであり、隣接して接続された中間の断熱パネルを比較的容易に外すことができ、然も、目地部分の断熱性を大幅に向上させることができる断熱パネルの接続構造を提供することを目的とする。
【課題を解決するための手段】
【０００８】
請求項１の発明の断熱パネルの接続構造は、一対の表面材とこの表面材の端部に設けられた第１及び第２の枠材とで囲まれる空間に断熱材が充填されて成る断熱パネルにおいて、第１及び第２の枠材は、断熱パネルの長手方向に対して傾斜する辺を有した階段形状を呈し、第１の枠材は、隣接する断熱パネルの第２の枠材と相互に合決にて接続されることを特徴とする。
【０００９】
また、請求項２の発明の断熱パネルの接続構造は、上記において両枠材の階段形状は、段差寸法よりも断熱パネルの長手方向の寸法が大きいことを特徴とする。
【００１０】
請求項３の発明の断熱パネルの接続構造は、一対の表面材とこの表面材の端部に設けられた第１及び第２の枠材とで囲まれる空間に断熱材が充填されて成る断熱パネルにおいて、第１及び第２の枠材は、段差寸法よりも断熱パネルの長手方向の寸法が大きい階段形状を呈し、第１の枠材は、隣接する断熱パネルの第２の枠材と相互に合決にて接続されることを特徴とする。
【００１１】
更に、請求項４の発明の断熱パネルの接続構造は、上記各発明において第１及び第２の枠材は同一形状を呈することを特徴とする。
【発明の効果】
【００１２】
請求項１の発明では、一対の表面材とこの表面材の端部に設けられた第１及び第２の枠材とで囲まれる空間に断熱材が充填されて成る断熱パネルにおいて、第１及び第２の枠材は、断熱パネルの長手方向に対して傾斜する辺を有した階段形状を呈し、第１の枠材は、隣接する断熱パネルの第２の枠材と相互に合決にて接続されるようにしたので、断熱パネル相互の接続部分で少なくとも第１及び第２の枠材の段差寸法分の断熱厚さが存在することになる。これにより、ヒートブリッジの発生を効果的に解消することができるようになると共に、例えば、真空断熱材を用いた場合の接続部における断熱効果の低下も解消することができるようになる。
【００１３】
特に、第１及び第２の枠材の傾斜する辺同士の噛み合いによって接続強度も向上する。これにより、ロータリーロック等の高価なロック機構を使用しない安価な接続構造を提供することができるようになる。
【００１４】
また、請求項２の発明のように両枠材の階段形状を、段差寸法よりも断熱パネルの長手方向の寸法が大きいものとすることにより、接続部分におけるヒートブリッジの発生をより効果的に解消することが可能となる。
【００１５】
請求項３の発明では、一対の表面材とこの表面材の端部に設けられた第１及び第２の枠材とで囲まれる空間に断熱材が充填されて成る断熱パネルにおいて、第１及び第２の枠材は、段差寸法よりも断熱パネルの長手方向の寸法が大きい階段形状を呈し、第１の枠材は、隣接する断熱パネルの第２の枠材と相互に合決にて接続されるようにしたので、合決部分を断熱パネルの面と直交する方向に移動させるだけで、どの位置の断熱パネルでも比較的容易に外すことができる。これにより、プレハブ冷蔵庫等の解体・分解性を著しく改善するが可能となる。
【００１６】
そして、同様に断熱パネル相互の接続部分で少なくとも第１及び第２の枠材の段差寸法分の断熱厚さが存在することになると共に、枠材の段差寸法より断熱パネルの長手方向の寸法が大きいので、ヒートブリッジの発生を極めて効果的に解消することができるようになる。また、同様に真空断熱材を用いた場合の接続部における断熱効果の低下も解消することができるようになる。
【００１７】
更に、請求項４の発明のように、第１及び第２の枠材を同一形状とすれば、断熱パネルの部品コストを大幅に削減することができるようになる。
【発明を実施するための最良の形態】
【００１８】
以下、本発明の実施の形態を図面に基づいて説明する。
【実施例１】
【００１９】
図１は本発明の一実施例の断熱パネル１２の接続構造を適用した一般的なプレハブ冷蔵庫１の分解斜視図、図２は本発明の一実施例の断熱パネル１２の第１及び第２の枠材２０、３０部分の平断面図をそれぞれ示している。即ち、プレハブ冷蔵庫１は、図１に示すように、周囲に立設された断熱パネル１２（プレハブパネル）と、天井に設けられた天井パネル３と、底部に設けられた床パネル４と、前面開口に設けられた庫口枠５と、この庫口枠５に回動自在に枢支された扉６とから構成されている。
【００２０】
扉６は、矩形状に形成された断熱パネルにて構成されていると共に、冷蔵用や冷凍用など多種のプレハブ冷蔵庫に共通して使用されるものであり、所定の外形寸法にて形成されている。扉６の一側（図中右側）には、庫口枠５に回動自在に枢支するためのヒンジ部材（図示せず）が取り付けられており、扉６の前面他側（左側）には、当該扉６を開閉するためのラッチ部材９が取り付けられている。尚、１０は、ベース台枠であり、この上に床パネル４が載置され、各断熱パネル１２が立設される。
【００２１】
プレハブ冷蔵庫１の断熱パネル１２は、図２に示すように所定の間隔を存して配置された一対の表面材１４、１４と、この表面材１４、１４の一側端部（図中左側）に設けられた第１の枠材２０と、他側端部（図中右側）に設けられた第２の枠材３０とから構成されている。断熱パネル１２は、両表面材１４、１４と第１、第２の枠材３０で囲まれた空間１６にポリウレタン等の断熱材１８を充填し、発泡させることによって構成されている。
【００２２】
表面材１４は、鋼板、アルミ板、或いは、硬質合成樹脂板などにて構成されると共に、第１の枠材２０と第２の枠材３０は、アルミ材、或いは、合成樹脂などにて構成されている。第１の枠材２０及び第２の枠材３０は全体として略階段形状とされ、更に、相互に同一の形状とされている。そして、第１の枠材２０は、一端が一方の表面材１４（図中上側）の一端に係合され、他端は他方の表面材１４（図中下側）の一端に係合されている。また、第２の枠材３０は、一端が他方の表面材１４（図中下側）の他端に係合され、他端は一方の表面材１４（図中上側）の他端に係合されている。この場合、第１の枠材２０と第２の枠材３０は相互に１８０度反転した状態で両表面材１４、１４に係合される。
【００２３】
この場合、第１の枠材２０（第２の枠材３０も同様）は、連続した第１縦辺２２、横辺２６、第２縦辺２４とから構成されており、第１縦辺２２は一端が一方の表面材１４の一端に係合され、そこから断熱パネル１２の厚さの略１／２他方の表面材１４方向に延在し、他端は横辺２６に連続している。横辺２６は、第１縦辺２２の他端から断熱パネル１２の長手方向に離間する向きに所定寸法延在し、端部は第２縦辺２４に連続している。第２縦辺２４は、横辺２６から他方の表面材１４方向に所定寸法延在し、端部は他方の表面材１４の一端に係合されている。
【００２４】
また、横辺２６には凸部２６Ａと凹部２６Ｃとが形成されており、これらを両側及び連続する辺は断熱パネル１２の長手方向に対して傾斜した傾斜辺２６Ｂとされている。尚、２７は、後述するネジ２９が固定されるネジ固定部で凸部２６Ａに設けられている。
【００２５】
また、第１の枠材２０（第２の枠材３０も同様）は、中心点Ｏに対して前記ネジ固定部２７を除き、略点対称の形状を呈している。これにより、第１の枠材２０と第２の枠材３０とを図３の円弧矢印のように反転させて向かい合わせたときには、一方の凸部２６Ａが他方の凹部２６Ｃに進入して各傾斜辺２６Ｂが噛み合い、且つ、合決にて接続できる（図３参照）。従って、第１及び第２の枠材２０、３０は相互に一方の凸部２６Ａが他方の凹部２６Ｃに進入して各傾斜辺２６Ｂが噛み合い、且つ、合決にて接続できる構成とされている。また、第１の枠材２０（第２の枠材３０も同様）の横辺２６の寸法（断熱パネル１２の長手方向の寸法）は縦辺２２、２４の寸法（段差寸法）よりも大きくされている。
【００２６】
このように構成された断熱パネル１２と断熱パネル１２とを接続する際は、図５に示すように一方の断熱パネル１２の第２の枠材３０内に他の断熱パネル１２の第１の枠材２０を挿入して係合させることにより接合する。このとき、第１の枠材２０へは、当該第１の枠材２０に形成した傾斜辺２６Ｂの傾斜角度に沿って第２の枠材３０の傾斜辺２６Ｂが進入することになる。この傾斜辺２６Ｂ同士の噛み合いによって両断熱パネル１２、１２はその厚さ方向への移動が阻止されることになる。但し、傾斜辺２６Ｂの傾斜方向に沿って両者を引き離せば、分離可能である。
【００２７】
連結された断熱パネル１２は、図５に示すように一方の断熱パネル１２のネジ固定部２７の対向位置に形成され、他の断熱パネル１２に予め設けられた案内孔３４からネジ２９が挿入される。挿入されたネジ２９は、他の断熱パネル１２に設けられたネジ固定部２７に螺合され、第１の枠材２０と第２の枠材３０とが固定される。このネジ２９の締め付けで、傾斜辺２６Ｂ同士の噛み合いが更に強固となる。
【００２８】
そして、案内孔３４はキャップ４０で閉塞されると共に、第１の枠材２０と第２の枠材３０との間の目地はシリコンゴムなどからなるパッキン４２にて閉塞される。このとき、連結された断熱パネル１２は、第１の枠材２０と第２の枠材３０とによって厚さ方向、及び、連結方向への移動が阻止されているので、強度の弱いネジ２９であっても強固に固定することができる。尚、目地をパッキン４２で閉塞したが、目地はパッキン４２に限らずコーキング剤でコーキングを行っても差し支えない。
【００２９】
このように、第１の枠材２０及び第２の枠材３０は、同一形状で且つ中心に対して点対称（ネジ固定部を除く）となる階段形状に形成されると共に、合決にて相互に接続可能とされている。これにより、少なくとも断熱パネル１２の厚さの１／２（実際は枠材の段差分）は断熱効果を得ることができる。これにより、従来のようにヒートブリッジの発生を解消できると共に、段差分の寸法内に真空断熱材を挿入することも容易となる。従って、従来のようにロータリーロック等の高価なロック機構を使用しない安価なノンシール断熱パネル１２を提供することができる。
【００３０】
また、両枠材２０、３０の階段形状は、段差寸法よりも断熱パネル１２の長手方向の寸法を大きくしているので、隣接して接続された断熱パネル１２の目地部から熱が進入した際、熱は目地の隙間に沿って断熱パネル１２の厚さ寸法より長い距離を通り反対側に伝わるか、若しくは、隙間の途中から最短距離である断熱パネル１２内を通り抜けて直線的に反対側に伝わることになる。これにより、隣接して接続された断熱パネル１２の隙間の断熱性が悪い場合などでも、少なくとも、断熱パネル１２の厚さの半分は断熱効果を得ることが可能となる。従って、目地から熱が直接反対側に伝わることもなくなるので、断熱パネル１２の目地部分の断熱効果を確実に向上させることができる。
【００３１】
また、両枠材２０、３０は、断熱パネル１２の長手方向に対して傾斜する辺（傾斜辺２６Ｂなど）を有するので、隣接して接続された中間の断熱パネル１２を傾斜面（傾斜辺２６Ｂ）に沿って移動させれば、合決にて接続された断熱パネル１２を外すことができる。これにより、プレハブ冷蔵庫１、低温貯蔵庫、保冷庫或いは収納庫等の断熱パネル１２を分解する際、比較的容易に外すことができ、分解作業効率を大幅に向上させることができる。また、枠材２０、３０は同一形状であるので、部品コストも削減される。
【００３２】
尚、上記実施例ではパッキン４２を設け、更に、ネジ２９で断熱パネル１２を接続したが、図７に示すようにパッキンやネジを用いない構造も可能である。この場合、断熱パネル１２には案内孔３４を設けない。
【００３３】
次に、図６には天井部分の断熱パネル１２の接続構造を示している。断熱パネル１２は、図６に示すようにプレハブ冷蔵庫１の天井角部に使用される。一方の断熱パネル１２（図中上側）は前述同様一側端部に設けられた第１の枠材２０と他側端部に設けられた第２の枠材３０とから構成されている。
【００３４】
他の断熱パネル１２の端部には、第３の枠材５０が設けられており、この第３の枠材５０は第２の枠材３０の横辺２６と第１縦辺２２とから構成されている。該一方の断熱パネル１２に設けられた第１の枠材２０の第２縦辺２４に第３の枠材５０の第１縦辺２２、第１の枠材２０の横辺２６に第３の枠材５０の横辺２６が目地寸法を介して係合される。これによって、略直角に断熱パネル１２と断熱パネル１２とが連結されると共に、前述同様の効果を得ることができる。また、図９は図６においてパッキン４２を用いない例を示している。
【実施例２】
【００３５】
次に、図１０には本発明の他の実施例の断熱パネル１２の接続構造を示している。該断熱パネル１２の接続構造は、前述の実施例と略同じ構成を有している。以下、異なる部分について説明する。尚、前述の実施例と同じ部分にはこれと同じ符号を付し、説明を省略する。断熱パネル１２は、図１０に示すように隣接する断熱パネル１２と断熱パネル１２とは相互に側縁部にて接続可能に構成されている。
【００３６】
断熱パネル１２の一側端部には第１の枠材２０、他側端部には第２の枠材３０が設けられており、第１の枠材２０は前述同様第１縦辺２２と横辺２６と第２縦辺２４とを備えている。尚、この第１縦辺２２と横辺２６と第２縦辺２４は直線状に形成されている。また、第１及び第２の枠材２０、３０は、同一形状であり、中心点を中心として点対象の階段形状とされている。更に、段差寸法より断熱パネル１２の長手方向の寸法が大きい。そして、相互に合決にて接続される（図１０に破線で示す）。
【００３７】
この場合には、前記実施例のような傾斜辺同士の噛み合いは無いが、それ以外の効果の他に、断熱パネル１２の一側或いは他側（合決接続部）を断熱パネル１２の面と直交方向（図中白抜き矢印方向）に移動させれば、連結された断熱パネル１２をどこの位置からでも容易に外すことが可能となる効果がある（図１０に実線で示す）。
【図面の簡単な説明】
【００３８】
【図１】本発明の断熱パネルの接続構造を適用した一実施例のプレハブ冷蔵庫の分解斜視図である。
【図２】本発明を適用した断熱パネルの第１及び第２の枠材部分の平断面図である（実施例１）。
【図３】図２の断熱パネルを構成する第１及び第２の枠材の接続状態を説明する平断面図である。
【図４】図２の断熱パネルの接続状態を示す平断面図である。
【図５】図２の断熱パネルの接続状態を示す斜視図である。
【図６】他の部分の断熱パネルの接続状態を示す縦断側面図である。
【図７】図２の例の更に他の実施例の断熱パネルの第１及び第２の枠材部分の平断面図である。
【図８】図７の断熱パネルの接続状態を示す斜視図である。
【図９】図６の部分の他の断熱パネルの接続状態を示す縦断側面図である。
【図１０】本発明の他の実施例の断熱パネルの接続状態を示す平断面図である（実施例２）。
【符号の説明】
【００３９】
１  プレハブ冷蔵庫
１２  断熱パネル
１４  表面材
２０  第１の枠材
２２  第１縦辺
２４  第２縦辺
２６  横辺
２６Ａ  凸部
２６Ｂ  傾斜辺
２６Ｃ  凹部
３０  第２の枠材
４０  キャップ
４２  パッキン
【図１】
2008082649.tif 000003
【図２】
2008082649.tif 000004
【図３】
2008082649.tif 000005
【図４】
2008082649.tif 000006
【図５】
2008082649.tif 000007
【図６】
2008082649.tif 000008
【図７】
2008082649.tif 000009
【図８】
2008082649.tif 000010
【図９】
2008082649.tif 000011
【図１０】
2008082649.tif 000012